(57)【要約】      （修正有）【課題】一枚の合成樹脂シートから形成することができ、外箱内においてつけまつ毛を保持する保持台を固定し、さらに、密封性に優れる包装容器を提供する。【解決手段】１枚のシート状の素材より一体に形成され、外箱に収納可能な箱状の包装容器１である。天板１１と、天板１１の一側辺から順次連設された側板１３、底板１２、側板１４と、天板１１の上辺及び下辺に順次連設された蓋板１６、差込片１６１及び蓋板１７、差込片１７１と、側板１３、１４の上辺及び下辺にそれぞれ連設されたフラップ１８、１９と、側板１４の底板１２が連設された辺と対向する辺側に連設された貼付片１５とを備える。天板１１の側板１３が連設された辺と対向する辺側の一部が外側へ庇状に突出して延伸部１１１が形成され、延伸部１１１の先端には、天板１１よりも縦横寸法が大きく形成された枠板１０が天板１１側へ折り返し可能に連設されている。【選択図】図１
0003186276.tif 000002
【実用新案登録請求の範囲】
【請求項１】
１枚のシート状の素材より一体に形成され、外箱に収納可能な箱状の包装容器であって、天板（１１）と、天板（１１）の一側辺から順次連設された側板（１３）、底板（１２）、側板（１４）と、天板（１１）の上辺及び下辺に順次連設された蓋板（１６）、差込片（１６１）及び蓋板（１７）、差込片（１７１）と、側板（１３、１４）の上辺及び下辺にそれぞれ連設されたフラップ（１８、１９）と、側板（１４）の底板（１２）が連設された辺と対向する辺側に連設された貼付片（１５）とを備え、前記天板（１１）の側板（１３）が連設された辺と対向する辺側の一部が外側へ庇状に突出して延伸部（１１１）が形成され、該延伸部（１１１）の先端には、天板（１１）よりも縦横寸法が大きく形成された枠板（１０）が天板（１１）側へ折り返し可能に連設されていることを特徴とする包装容器。
【請求項２】
前記枠板（１０）が、包装容器を収納する外箱の縦横寸法と略同一に形成されていることを特徴とする請求項１に記載の包装容器。
【請求項３】
枠板（１０）には開口（１０１）が形成され、その開口寸法が、前記延伸部（１１１）を除いた天板（１１）の縦横寸法に近似し、且つ、該縦横寸法より大きくならないように設けられていることを特徴とする請求項１または２に記載の包装容器。
【考案の詳細な説明】
【技術分野】
【０００１】
本考案は、包装用外箱に収納可能に形成された、つけまつ毛などのアイ製品をはじめとする化粧品の包装容器（中箱）に関するものである。
【背景技術】
【０００２】
従来、つけまつ毛を販売する際には、ＰＥＴ樹脂等の合成樹脂からなる保持台につけまつ毛を貼付して固定し、かかる保持台を接着剤と共に包装箱に同封して販売することが行われている（特許文献１）。
【０００３】
ところで、つけまつ毛のような比較的小さな商品をセルフ販売する場合には、商品のアイキャッチ効果を高めるために、包装箱自体を大きくして、その外箱部分において広告表示部分を広く取ることで訴求力を高めたいという要望がある。
【０００４】
一方で、つけまつ毛を固定保持するための保持台で規格のもの（図４）はその寸法が決まっており、包装用の外箱を大きくすると保持台との間に隙間が生じて外箱内で動いてしまうおそれがあった。そこで、保持台を固定するために、別途設けた抑え用部材に保持台を装着したうえで外箱に収納することが行われていた。このような抑え用部材の一例として、一枚のシート状の素材から折り曲げ形成され、保持台を装着可能な凹部３１と、保持台と外箱の間の緩衝材となる凸枠部３２からなる抑え部材３が挙げられる（図５）。
【０００５】
しかしながら、かかる方法によると、抑え用部材を別途設けることにより部品数が増え、また、抑え用部材の組み立て工程も加わることにより、コスト高となっていた。
【０００６】
さらに、つけまつ毛を保持した保持台が裸のまま外箱に収納されると、外箱から生じる紙粉などの細かいほこりが商品に付着するおそれがあり、特につけまつ毛のようなアイ製品にとっては致命的な欠陥になりかねなかった。したがって、かかる紙粉を防ぐために外箱の内側をフィルム等によるコーティングを施す必要があった。
【先行技術文献】
【特許文献】
【０００７】
【特許文献１】特開２００８−２９６００４
【考案の概要】
【考案が解決しようとする課題】
【０００８】
そこで本考案は、一枚の合成樹脂シートから形成され、包装用の外箱内においてつけまつ毛を保持するための保持台を固定することができ、さらに、密封性に優れる包装容器を提供することをその課題とするものである。
【課題を解決するための手段】
【０００９】
本考案は、上記課題を解決するものであり、１枚のシート状の素材より一体に形成され、外箱に収納可能な箱状の包装容器であって、天板（１１）と、天板（１１）の一側辺から順次連設された側板（１３）、底板（１２）、側板（１４）と、天板（１１）の上辺及び下辺に順次連設された蓋板（１６）、差込片（１６１）及び蓋板（１７）、差込片（１７１）と、側板（１３、１４）の上辺及び下辺にそれぞれ連設されたフラップ（１８、１９）と、側板（１４）の底板（１２）が連設された辺と対向する辺側に連設された貼付片（１５）とを備え、前記天板（１１）の側板（１３）が連設された辺と対向する辺側の一部が外側へ庇状に突出して延伸部（１１１）が形成され、該延伸部（１１１）の先端には、天板（１１）よりも縦横寸法が大きく形成された枠板（１０）が天板（１１）側へ折り返し可能に連設されていることを特徴とする包装容器である。
【考案の効果】
【００１０】
本考案に係る包装容器は、商品の保持台を包装用の外箱内で効果的に固定することができるとともに、外箱の余白部分を宣伝広告などの訴求に利用し、アイキャッチ効果を高めることができる。
【００１１】
また、本考案に係る包装容器は、１枚のシート状素材により形成された箱状の容器に商品が封入されるため、外箱の紙粉などのほこりが商品へ付着するおそれがなく、よって、ほこりを防ぐために外箱の内側をフィルム等によるコーティングを施す必要もない。さらに、一枚の樹脂製シートより一体に形成することができるため、製造コストを抑えることができ、その組立工程も簡易である。
【００１２】
さらに、本考案に係る包装容器で、天板に開口が形成され、その開口寸法が、延伸部を除いた天板の縦横寸法に近似し、且つ、該縦横寸法より大きくならないように設けられたものは、天板に枠板が掛かることにより商品が見えにくくなることを防ぐことができる。
【図面の簡単な説明】
【００１３】
【図１】本考案に係る包装容器の展開図
【図２】本考案に係る包装容器の斜視図
【図３】本考案に係る包装容器の断面図
【図４】つけまつ毛を固定保持するための土台部の斜視図
【図５】土台部の抑え用部材の斜視図
【考案を実施するための形態】
【００１４】
以下、本考案の包装容器を、図面に基づいて具体的に説明する。なお、本考案はこれら実施態様に何ら制約されるものではない。
【００１５】
図１は、本考案に係る包装容器の展開図である。図に示すように、本考案の包装容器１は、１枚のシート状の素材より一体に形成され、組み立てると箱体となるが、通常の箱体とは異なり、天板１１の側辺部が延設し、その先端に枠板１０が連接されている。以下に、本考案の包装容器１の構造について詳述する。
【００１６】
本実施態様の包装容器１は、天板１１と、天板１１の一側辺から順次連設された、側板１３、底板１２、側板１４を備え、更に、天板１１の上辺には蓋板１６及び差込片１６１が、また、天板１１の下辺には蓋板１７及び差込片１７１が順次連設されている。また、側板１３と側板１４の上辺にはフラップ１８が、側板１３と側板１４の下辺にはフラップ１９がそれぞれ連設されている。さらに、側板１４の側辺で底板１２が連設された辺と対向する辺には、貼付片１５が連設されている。以上の各部材は、それぞれ互いに折り曲げ可能に連設されている。
【００１７】
天板１１は、側板１３が連設された辺と対向する辺側の一部が外側へ庇状に突出して延伸部１１１が形成されている。かかる延伸部１１１の先端には、枠板１０が折り曲げ線１０３において、天板１１側へ折り返し可能に連設されている。
【００１８】
枠板１０は、天板１１よりも縦横の寸法が大きく形成されており、好ましくは、包装容器１を収納する外箱の縦横寸法（内寸）と略同一に形成されている。そしてその中央には、開口１０１が形成されている。かかる開口１０１の開口寸法は任意であるが、後述する美観および機能的な観点から、天板１１の延伸部１１１を除いた縦横寸法に近似し、且つ、該縦横寸法より大きくならないように設けることが好ましい。
【００１９】
本考案の包装容器１の組立方法は以下の通りである。まず、天板１１と底板１２とが対向し、側板１３と側板１５とがそれぞれ対向するように、各部材の連接部を折り曲げる。そして、貼付片１５を延伸部１１１の裏側に接着することにより、基本の箱体形状が形成される。なお、貼付片１５はかならずしも延伸部１１１に接着する必要はなく、貼付片１５を箱内側へ折り返して天板１１の裏側に接着してもよい。
【００２０】
次に包装容器１の内部につけまつ毛を保持した保持台２を収納し、蓋板１６及びフラップ１８と、蓋板１７及びフラップ１９により両端開口をそれぞれ封止し、最後に、枠板１０を折り曲げ線１０３において天板１１側へと折り返し、枠板１０を天板１１と平行するように配置する。このとき、図３に示すように、枠板１０の開口１０１の寸法を天板１１の延伸部１１１を除いた縦横寸法より大きくならないように設けておくと、開口１０１の周縁部１０２が天板１１の周縁部に掛かって、枠板１０と天板１１の平行状態を維持することができる。
【００２１】
図２は、組み立てた本考案の包装容器１に商品を収納した状態を表す。図に示すように、組立が完了した状態において、枠板１０が四方へと突出して庇状になっている。枠板１０は天板１１と平行するように配置されているが、本実施態様では、枠板１０の開口１０１が天板１１の延伸部１１１を除いた寸法・形状とほぼ同様の寸法・形状に形成されているため、箱体の天面部に相当する天板１１は延伸部１１１を除いてほぼ全面的に露出しており、天板１１に枠板１０が掛かることにより内部の商品が見えにくくなることを防ぐことができる。
【００２２】
本考案の包装容器１は、枠板１０の縦横寸法と略同一の縦横寸法（内寸）を有する外箱へと収納される。これにより、四方へ庇状に突出する枠板１０が抑え用部材の役割を果たし、商品を収納した本体部分を外箱内の所定の位置において固定することができる。なお、外箱の外部より商品が確認できるように、外箱には、包装容器１を収納したときに枠板１０の開口１０１が位置する部分に窓部を設けることが好ましい。
【００２３】
外箱に前記窓部を設けた場合、枠板１０が位置する外箱部分は余白となるため、かかる余白部分を宣伝広告などの訴求に利用し、アイキャッチ効果を高めることができる。この余白部分は、任意にその寸法を決めることができ、その余白部分に合わせて枠板１０の寸法を形成すれば、様々な大きさの外箱に対応することが可能となる。
【００２４】
本考案の包装容器１は、１枚のシート状の素材より一体に形成されており、その材質については、ある程度の強度と折り曲げ柔軟性があれば特に限定はないが、経済性の面からはプラスチックが好ましく、透明であることが商品訴求の面で特に好ましい。具体的には、ポリスチレン、ポリプロピレン、ポリエチレンテレフタレート、ポリエチレンナフタレート等、またこれらの再生樹脂を挙げることができるが、ポリエチレンテレフタレート、ポリプロピレンが特に好ましい。
【００２５】
このように、本考案の包装容器１によれば、商品は樹脂製の箱体に中に封入されるため、外箱の紙粉などのほこりが商品へ付着するおそれがなく、ほこりを防ぐために外箱の内側をフィルム等によるコーティングを施す必要もない。さらに、一枚の樹脂製シートより形成することができるため、コストを抑えることができ、また、その組立工程も簡易である。
【００２６】
なお、本考案にかかる包装容器は、つけまつ毛などのアイ製品用の包装に好適に利用することができるが、必ずしもアイ製品の包装に限定されるものではなく、ファンデーションなどのリフィル化粧料や、その他の商品の包装にも使用することができることはいうまでもない。
【符号の説明】
【００２７】
１……包装容器
２……保持台
３……抑え部材
１０……枠板
１１……天板
１２……底板
１３……側板
１４……側板
１５……貼付片
１６……蓋板
１７……蓋板
１８……フラップ
１９……フラップ  
２１……平坦部
２２……隆起部
２３……傾斜部
３１……収納部
３２……凸枠部
１０１……開口部
１０２……周縁部
１０３……折り曲げ線
１１１……延伸部
１６１……差込片
１６２……係止部
１７１……差込片
１７２……係止部
【図１】
0003186276.tif 000003
【図２】
0003186276.tif 000004
【図３】
0003186276.tif 000005
【図４】
0003186276.tif 000006
【図５】
0003186276.tif 000007